(57)【要約】【課題】内部に空間を作るためのパーツを備えることで、二足での起立状態を維持すること。【解決手段】人形であって、胴部４と磁力で連結する胴連結部８ｇを有する十字ジョイント部８と、胴部４に設けられ、胴部４を脚部側から頭部側へ貫通する貫通孔４ａと、貫通孔４ａに着脱自在に挿通された中空の円筒部９と、円筒部９の頭側端部を閉塞すると共に、十字ジョイント部８の胴連結部８ｇと磁力で連結するマグネット関節１０ｅを有する蓋部１０と、円筒部９の脚部側の開口端部９ａを挟むように胴部４に設けられ、一組の脚部と磁力で連結する一組の鼠蹊部４ｃと、を備え、頭部が首部と連結し、一組の腕部が各腕連結部８ｆと連結し、一組の脚部が各鼠蹊部４ｃと連結し、マグネット関節１０ｅが胴連結部８ｇと連結することで人型を形成することを特徴とする。【選択図】図７
2018103024.tif 000002
【特許請求の範囲】
【請求項１】
頭部、胸部、胴部、一組の腕部および一組の脚部を有する人形であって、
前記胸部に設けられ、前記頭部と磁力で連結する首部と、
前記胸部に収容され、前記首部を前記胸部の内側から支持する頭支持部、前記腕部と磁力で連結する一組の腕連結部、および前記胴部と磁力で連結する胴連結部を有する十字ジョイント部と、
前記胴部に設けられ、前記胴部を前記脚部側から前記頭部側へ貫通する貫通孔と、
前記貫通孔に着脱自在に挿通された中空の円筒部と、
前記円筒部の前記頭部側端部を閉塞すると共に、前記十字ジョイント部の胴連結部と磁力で連結するマグネット関節を有する蓋部と、
前記円筒部の前記脚部側の開口端部を挟むように前記胴部に設けられ、前記一組の脚部と磁力で連結する一組の鼠蹊部と、を備え、
前記頭部が前記首部と連結し、前記一組の腕部が前記各腕連結部と連結し、前記一組の脚部が前記各鼠蹊部と連結し、前記マグネット関節が前記胴連結部と連結することで人型を形成することを特徴とする人形。
【請求項２】
前記貫通孔および前記円筒部は、相互に嵌合するための嵌合部をさらに備えることを特徴とする請求項１記載の人形。
【請求項３】
前記円筒部に挿通され、前記一組の脚部で起立する姿勢を維持するための補助スタンドをさらに備えることを特徴とする請求項１または請求項２記載の人形。
【請求項４】
弾性ポリマーで中空の円筒状に形成され、一端に挿入口を有する陰茎収容部と、
前記陰茎収容部の表面に円周方向に沿って設けられた少なくとも一つの溝部と、を備える射精促進器が、前記円筒部に挿通されたことを特徴とする請求項１または請求項２記載の人形。
【請求項５】
弾性ポリマーで中空の円筒状に形成され、一端に挿入口を有する陰茎収容部と、
前記陰茎収容部の表面に円周方向に沿って設けられた少なくとも一つの溝部と、を備え、請求項１または請求項２記載の人形に適用されることを特徴とする射精促進器。
【発明の詳細な説明】
【技術分野】
【０００１】
本発明は、頭部、胸部、胴部、一組の腕部および一組の脚部を有する人形に関し、特に、内部に空間を作るためのパーツを備えた人形に関する。
【背景技術】
【０００２】
従来から、アーティストやデザイナーの創造力を高めると共に、使用者のライフスタイルを豊かにする「ファッションドール」が提案されている。この「ファッションドール」が着用するアパレル品やウィッグは、人が着用するアパレル品や人のヘアスタイルと同じと言えるほどの再現性がある。「ファッションドール」は、室内でのディスプレイに用いたり、人と一緒に外出したりする利用シーンが想定されている。外出の際には、「ファッションドール」に靴を履かせることもでき、着用する靴についても、人が履く靴に限りなく近いレベルで再現されている。また、使用者は、「ファッションドール」の被服、靴、ウィッグなどを自由に選択し、着せ替えて、自分の好みの外観にすることを楽しむことができる。さらに、使用者が「ファッションドール」に好むポーズをとらせて、写真撮影の被写体として用いることも多く見受けられる。
【０００３】
このような人形には、内部に骨格を有し、その骨格に肉付けされることで構成されるタイプと、内部に骨格を有さず、頭部、胸部等の各部位が、ＰＯＭ（polyoxymethylene）等の一定の形状を維持できる材料で形成され、各部位が関節で連結されることで構成されるタイプとがある。図１２は、従来から知られている人形の骨格の一例を示す図である。この人形の骨格１２−１は、骨に相当する複数の部材１２−２と、部材同士を連結する複数の関節１２−３から構成されている。骨格をこのように構成することによって、人形の腕や脚を動かすことができ、人形にいろいろな姿勢を取らせることができるようになる。例えば、特許文献１には、自由に骨格の形態を変えることができる関節装置が適用された人形体が開示されている。この人形体は、下半身部と上半身部とを連結する支骨部材を備えており、支骨部材は、両端に第２の部材が配置され、一端の第２の部材が下半身部に取り付けられ、他端の第２の部材が上半身部に取り付けられている。この構成により、屈曲方向が多方向となるため、自由に人形体の骨格の形態を変えることができる。
【０００４】
また、特許文献２には、二分割された上脚本体を使用する場合でも、可能な限り肌表面のリアルさを表現しつつ、脚部分や腰部分において人間的なリアルな動きが表現できる人形が開示されている。特許文献２に開示されている人形は、内部に骨格を有さず、首部、上胴部、腕部、腰部、脚部などの各部位が、例えば、関節としてのボールジョイント等を用いて連結された人形が示されている。骨格を有しないが、各部位が関節で連結されているため、自由に人形の姿勢を変えることが可能である。
【先行技術文献】
【特許文献】
【０００５】
【特許文献１】特開２００５−３４４９３６号公報
【特許文献２】特開２００３−２９０５６４号公報
【発明の概要】
【発明が解決しようとする課題】
【０００６】
しかしながら、人間と類似した「人型の人形」は、二足での起立状態を維持することが容易ではない。二足での起立状態を維持するために、足を極端に大きくすることも考えられるが、全体とのバランスを欠いてしまう。特に、女子の外形を有する人形では、足は小さく設計されるため、二足で起立させることが容易ではない。このため、例えば、足の裏側にマグネットを埋設して磁力が働く鉄などの金属の上に載置し、足の位置を固定しようとする試みもなされているが、二足での起立状態を維持するためには十分ではない。このため、補助スタンドを用いて、人形を支える方法が採られることが多い。
【０００７】
従来の補助スタンドを用いる方法では、人形の胴体を後ろから掴むように支持したり、人形の腋の下で体重を支持したりするような方法が多くみられる。しかし、このような人形を支持する方法では、補助スタンドが邪魔をして人形が着用する被服の良さをアピールすることの妨げとなったり、特定のポーズを取らせることができなくなったりする場合がある。また、図１３に示すように、人形１３−１に補助スタンド１３−２を取り付けて起立状態を維持する場合に人形１３−１に補助スタンド１３−２との接続部１３−３を設ける場合もある。接続部１３−３は、ネジ止めの方式や嵌め込みの方式などを採ることができる。この場合は、人形に被服を着用させることが容易ではなくなる。
【０００８】
本発明は、このような事情に鑑みてなされたものであり、内部に空間を作るためのパーツを備えることで、二足での起立状態を維持することができる人形を提供することを目的とする。
【課題を解決するための手段】
【０００９】
（１）上記の目的を達成するために、本発明は、以下のような手段を講じた。すなわち、本発明の人形は、頭部、胸部、胴部、一組の腕部および一組の脚部を有する人形であって、前記胸部に設けられ、前記頭部と磁力で連結する首部と、前記胸部に収容され、前記首部を前記胸部の内側から支持する頭支持部、前記腕部と磁力で連結する一組の腕連結部、および前記胴部と磁力で連結する胴連結部を有する十字ジョイント部と、前記胴部に設けられ、前記胴部を前記脚部側から前記頭部側へ貫通する貫通孔と、前記貫通孔に着脱自在に挿通された中空の円筒部と、前記円筒部の前記頭部側端部を閉塞すると共に、前記十字ジョイント部の胴連結部と磁力で連結するマグネット関節を有する蓋部と、前記円筒部の前記脚部側の開口端部を挟むように前記胴部に設けられ、前記一組の脚部と磁力で連結する一組の鼠蹊部と、を備え、前記頭部が前記首部と連結し、前記一組の腕部が前記各腕連結部と連結し、前記一組の脚部が前記各鼠蹊部と連結し、前記マグネット関節が前記胴連結部と連結することで人型を形成することを特徴とする。
【００１０】
このように、骨格を有しないため、円筒部を胴部内に設けることが可能となる。また、円筒部の脚部側の開口端部を挟むように、一組の脚部が連結する一組の鼠蹊部が設けられているので、脚と脚の間で円筒部が開口する。これにより、人形の重心の位置に補助スタンドを挿通させることが可能となるので、人形を二足による起立状態を維持させることが可能となる。その結果、人形に被服を着用させやすくなる。特に、人形にスカートを履かせたり、和服を着用させたりする場合は、スタンドが隠れるため、自然な外観でのディスプレイが可能となる。また、各部位が磁力によって連結されているため、分離も容易である。このため、運搬や手入れなどがしやすくなる。
【００１１】
（２）また、本発明の人形において、前記貫通孔および前記円筒部は、相互に嵌合するための嵌合部をさらに備えることを特徴とする。
【００１２】
このように、貫通孔および前記円筒部は、相互に嵌合するための嵌合部を備えるので、貫通孔に円筒部を装着すると、外れにくくなる。これにより、補助スタンドを用いた場合に安定した姿勢を保持することが可能となる。
【００１３】
（３）また、本発明の人形は、前記円筒部に挿通され、前記一組の脚部で起立する姿勢を維持するための補助スタンドをさらに備えることを特徴とする。
【００１４】
このように、補助スタンドを備えるため、二足による起立状態を維持することが可能となる。
【００１５】
（４）また、本発明の人形は、弾性ポリマーで中空の円筒状に形成され、一端に挿入口を有する陰茎収容部と、前記陰茎収容部の表面に円周方向に沿って設けられた少なくとも一つの溝部と、を備える射精促進器が、前記円筒部に挿通されたことを特徴とする。
【００１６】
本発明に係る人形は、二足での起立状態を維持させるための補助スタンドを用いない場合、円筒部の脚部側端部が開口した状態となる。このように開口した円筒部内には一定の空間が生じていることとなるが、これを蓋で閉塞しても良いし、何か他のものを充填したり、収容したりしても良い。本発明に係る人形は、開口した円筒部に、射精促進器が挿通される。
【００１７】
すなわち、従来から、医学的な研究、精子バンクでの保存、または病気の治療や検査などを目的として、精液を採取するための射精促進器が提案されている（例えば、特許第５７６１８３６号明細書）。この射精促進器は、長手方向の少なくとも一端に開口部を有し、手で握ることが可能な筒状の形状を有する外装ケースと、当該外装ケースの内部に形成された空間に、挿入口を有した端面を外装ケースの開口部に配置した状態で外装ケースに収容される筒状の内装部材と、を備えている。そして、内装部材が、スチレン系熱可塑性エラストマーを主剤として作製されている。使用時には、内装部材の挿入部の内部に形成された突起や襞等の刺激部が、陰茎を刺激することで、射精が促進される。この特許第５７６１８３６号明細書では、射精促進器の使用に際して、陰茎はある程度勃起した状態で挿入することが好ましい旨が記載されている（００４６段落）。
【００１８】
しかしながら、男性の勃起機能は、心理的な影響を受けることが多々ある。例えば、病院や研究所において、精液を採取しなければならなくなったときに、なじみのない非日常的な場所において、心が動揺したり、焦ったり、緊張しすぎてしまうことが原因で、精液を採取するために必要な勃起機能が一時的に失われてしまうことがあり得る。上記の射精促進器は、陰茎に適度な刺激を与えるための工夫が内部構造になされてはいるものの、その外観は無機質な円筒形であり、視覚的、心理的な観点から男性の勃起機能を支援する提案はなされていない。本発明では、男性が勃起機能を発揮するために必要な性的興奮を引き起こすために、射精促進器を人形に適用する。これにより、単に陰茎への適度な刺激を与えるだけではなく、人形の外観に基づく視覚的、心理的な側面から男性の勃起機能を支援する構成も併せ持つものである。本発明によれば、男性の勃起機能を支援し、射精を促進させることが可能となる。
【００１９】
（５）また、本発明の射精促進器は、弾性ポリマーで中空の円筒状に形成され、一端に挿入口を有する陰茎収容部と、前記陰茎収容部の表面に円周方向に沿って設けられた少なくとも一つの溝部と、を備え、上記（１）または（２）記載の人形に適用されることを特徴とする。
【００２０】
このように、弾性ポリマーで中空の円筒状に形成され、一端に挿入口を有する陰茎収容部と、前記陰茎収容部の表面に円周方向に沿って設けられた少なくとも一つの溝部を備えるため、人形の円筒部に挿通する際に、円筒部内の空気の逃げ場が確保され、陰茎収容部を人形の円筒部に適切に充填させることが可能となる。
【発明の効果】
【００２１】
本発明によれば、骨格を有しないため、円筒部を胴部内に設けることが可能となる。また、円筒部の開口端部を挟むように、一組の脚部が連結する一組の鼠蹊部が設けられているので、脚と脚の間で開口端部が開口する。これにより、人形の重心の位置に補助スタンドを挿通させることが可能となるので、人形を、二足による起立状態に維持することが可能となる。各部位が磁力によって連結されているため、分離も容易である。このため、運搬や手入れなどがし易くなる。
【図面の簡単な説明】
【００２２】
【図１Ａ】本発明の実施形態に係る人形の外観を示す図である。
【図１Ｂ】本発明の実施形態に係る人形の外観を示す図である。
【図２Ａ】頭部を顔側から表した図である。
【図２Ｂ】頭部を首側から表した図である。
【図３Ａ】胸部を正面から表した図である。
【図３Ｂ】胸部を背面から表した図である。
【図３Ｃ】胸部を右側面から表した図である。
【図４Ａ】十字ジョイント部の概要を示す図である。
【図４Ｂ】十字ジョイント部の分解図である。
【図４Ｃ】十字ジョイント部を、胸部に収容させた状態を示す図である。
【図４Ｄ】十字ジョイント部を、胸部に収容させた状態を示す図である。
【図５Ａ】胴部の概要を示す図である。
【図５Ｂ】胴部の概要を示す図である。
【図６Ａ】円筒部と蓋部の概要を示す図である。
【図６Ｂ】蓋部の概要を示す図である。
【図６Ｃ】円筒部に蓋部を装着した状態を示す図である。
【図６Ｄ】胴部の貫通孔に、蓋部を装着した円筒部を挿通した状態を示す図である。
【図７】図６Ｄで示した胴部４十字ジョイント部と磁力で連結させた状態を示す図である。
【図８】腕部の概要を示す図である。
【図９】脚部の概要を示す図である。
【図１０Ａ】補助スタンドの概要を示す図である。
【図１０Ｂ】本実施形態に係る人形を、補助スタンドで支持した状態を示す図である。
【図１１Ａ】円筒部、蓋部および射精促進器の概要を示す図である。
【図１１Ｂ】射精促進器を挿通した円筒部を、胴部に挿通した状態を示す図である。
【図１２】従来から知られている人形の骨格の一例を示す図である。
【図１３】従来の人形に補助スタンドを取り付けて起立状態を維持する様子を示す図である。
【発明を実施するための形態】
【００２３】
本発明者は、人形が骨格を備えると、内部空間を作り出すことができないことを見出し、骨格を採用せず、形状が確定している各部位をジョイントすることで人形の胴体部内に空間を設けることができることを見出し、本発明に至った。
【００２４】
すなわち、本発明の人形は、頭部、胸部、胴部、一組の腕部および一組の脚部を有する人形であって、前記胸部に設けられ、前記頭部と磁力で連結する首部と、前記胸部に収容され、前記首部を前記胸部の内側から支持する頭支持部、前記腕部と磁力で連結する一組の腕連結部、および前記胴部と磁力で連結する胴連結部を有する十字ジョイント部と、前記胴部に設けられ、前記胴部を前記脚部側から前記頭部側へ貫通する貫通孔と、前記貫通孔に着脱自在に挿通された中空の円筒部と、前記円筒部の前記頭部側端部を閉塞すると共に、前記十字ジョイント部の胴連結部と磁力で連結するマグネット関節を有する蓋部と、前記貫通孔の前記脚部側端部を挟むように前記胴部に設けられ、前記一組の脚部と磁力で連結する一組の鼠蹊部と、を備え、前記頭部が前記首部と連結し、前記一組の腕部が前記各腕連結部と連結し、前記一組の脚部が前記各鼠蹊部と連結し、前記マグネット関節が前記胴連結部と連結することで人型を形成することを特徴とする。
【００２５】
これにより、本発明者は、人形の重心の位置に補助スタンドを挿通させることを可能とした。円筒部に射精促進器を挿通した場合は、視覚的、心理的な観点から男性の勃起機能を支援し、射精を促進させることを可能とした。以下、本発明の実施形態について、図面を参照しながら具体的に説明する。実施形態では、人形の寸法等について、数値を例示することがあるが、本発明は、これに限定されるわけではない。
【００２６】
図１Ａおよび図１Ｂは、本発明の実施形態に係る人形の外観を示す図である。人形１は、頭部２、胸部３、胴部４、一組の腕部５および一組の脚部６を有する。これらの各部位は、ＰＯＭ（polyoxymethylene）等の一定の形状を維持できる材料で形成されている。このため、人形１は、内部骨格が不要である。胴部４の脚部側の端部には、脚側蓋部４ｅが設けられている。人形１の身長は、例えば、７２０ｍｍとすることができる。図２Ａは、頭部を顔側から表した図であり、図２Ｂは頭部を首側から表した図である。図２Ｂに示すように、頭部２には、内部方向に凹む首収容部２ａが設けられており、首収容部２ａには、マグネット２ｂが設けられている。
【００２７】
図２Ａにおいて、頭部２の上下方向の長さ（頭頂部と顎との距離）は、例えば、１０２ｍｍとし、左右方向の長さ（両耳間の距離）は、例えば、８６ｍｍとすることができる。また、頭部２の前後方向の長さ（頭の前後の幅）は、例えば、７６ｍｍとすることができ、頭部２の左右方向の長さ（頭の左右の幅）は、例えば、７８ｍｍとすることができる。また、図２Ｂにおいて、マグネット２ｂの径は、例えば、１２ｍｍとすることができる。
【００２８】
図３Ａは、胸部３を正面から表した図であり、図３Ｂは、胸部３を背面から表した図である。図３Ｃは、胸部３を右側面から表した図である。図３Ａから図３Ｃに示すように、胸部３は、頭部２と磁力で連結する首部３ａを有している。また、図３Ａにおいて、紙面に対して胸部３の両端には、腕部を連結するために、一組の腕部連結口３ｂが設けられている。首部３ａの最上端部には、頭部２と磁力で連結するためのマグネット３ｃが設けられている。
【００２９】
図３Ａにおいて、紙面に対して胸部３の上下方向の距離は、例えば、１４３ｍｍとすることができる。また、胸部３の最大の横幅は、例えば、１１８ｍｍとすることができる。また、胸部３の最下部から肩の位置までの距離は、例えば、８２ｍｍとすることができる。また、図３Ｂにおいて、胸部３の背中側の最大の横幅は、例えば、１１０ｍｍとすることができる。また、図３Ｃにおいて、胸部３の前後方向の最大の幅は、例えば、１１６ｍｍとすることができる。なお、図３Ａから図３Ｃに示すように、胸部３の前面に丸みを持たせることによって、人形１を女性らしい形状にすることが可能となる。
【００３０】
図４Ａは、十字ジョイント部の概要を示す図であり、図４Ｂは、十字ジョイント部の分解図である。十字ジョイント部８は、胸部３に収容される。第１の縦軸８ａ、第２の縦軸８ｂおよびこれらに直交する横軸８ｃが、連結部８ｄによって連結されている。第１の縦軸８ａの端部には、首部３ａを胸部３の内側から支持する頭支持部８ｅが設けられている。頭支持部８ｅは、柔軟性および弾力性のある材料、例えば、ソフトビニールで形成することができる。また、横軸８ｃの両側の端部には、腕部５と磁力で連結するための腕連結部８ｆがそれぞれ設けられている。また、第２の縦軸８ｂの端部には、胴部４と磁力で連結する胴連結部８ｇが設けられている。また、図４Ｂに示すように、腕連結部８ｆには、腕部５と磁力で連結するためのマグネット８ｈがそれぞれ設けられており、胴連結部８ｇには、胴部４と磁力で連結するためのマグネット８ｉが設けられている。
【００３１】
十字ジョイント部８は、頭支持部８ｅを取り外した場合、上下方向の長さを、例えば、９５ｍｍとすることができ、第１の縦軸８ａの連結部８ｄからの長さを、例えば、４４ｍｍとすることができ、また、腕連結部８ｆ端部同士の距離を、例えば、７２ｍｍとすることができる。また、腕連結部８ｆの横軸８ｃから端部までの厚さを、例えば、１１ｍｍとすることができ、腕連結部８ｆの最小径を、例えば、１６πとすることができ、最大径を、例えば、２０πとすることができる。また、胴連結部８ｇの第２の縦軸８ｂから端部までの厚さを、例えば、１５ｍｍとすることができ、胴連結部８ｇの最小径を、例えば、１６πとすることができ、最大径を、例えば、２０πとすることができる。また、第１の縦軸８ａ、第２の縦軸８ｂ、横軸８ｃの径は、例えば、１２πとすることができ、マグネット８ｈ、およびマグネット８ｉの径を、例えば、１２πとすることができる。また、頭支持部８ｅは、例えば、高さを３２ｍｍ、最大径を２５ｍｍ、最小径を２２ｍｍとすることができる。また、連結部８ｄの前後方向の幅は、例えば、２６ｍｍとすることができ、上下方向の幅は、例えば、３２ｍｍとすることができ、左右方向の幅は、例えば、１４ｍｍとすることができる。
【００３２】
図４Ｃおよび図４Ｄは、十字ジョイント部８を、胸部３に収容させた状態を示す図である。図４Ｃおよび図４Ｄでは、十字ジョイント部８を点線で表示してある。このように、十字ジョイント部８が胸部３に収容され、頭部２、胴部４および腕部５を磁力で連結させることが可能となる。
【００３３】
図５Ａおよび図５Ｂは、胴部の概要を示す図である。胴部４には、図５Ａにおいて、紙面に向かって上下方向に胴部４を貫通する貫通孔４ａが設けられている。貫通孔４ａの端部には、後述する円筒部と嵌合する溝４ｂが設けられている。また、図５Ａにおいて、貫通孔４ａの両端には、一組の脚部６と磁力で連結する一組の鼠蹊部４ｃが設けられている。鼠蹊部４ｃには、脚部６と磁力で連結するためのマグネット４ｄが設けられている。
【００３４】
胴部４は、図５Ａにおける上下方向の長さを、例えば、１４４ｍｍとすることができ、左右方向の最大幅を、例えば、１２９ｍｍとすることができる。また、胴部４の前後方向の最大幅を、例えば、８８ｍｍとすることができる。このように、胴部４の左右方向の最大幅を１２９ｍｍとし、胴部４の前後方向の最大幅を８８ｍｍとすることによって、胴部４を、左右方向に偏平した立体形状とすることができる。これにより、人形１を女性らしい形状にすることが可能となる。また、胴部４の頭部側の端部においては、前後方向の幅を、例えば、５８ｍｍとすることができ、左右方向の幅を、例えば、６７ｍｍとすることができる。
【００３５】
図６Ａは、円筒部と蓋部の概要を示す図である。円筒部９は、一定の形状を維持できる材料、例えば、ＰＶＣ（polyvinyl chloride）またはそれ以外のプラスチック系の材料で形成される。ただし、本発明は、これに限定されるわけではない。円筒部９は、胴部４の貫通孔４ａに挿通される。円筒部９の一端には、円筒部９を閉塞する蓋部１０が嵌められる。円筒部９は、中空のパイプから構成されている。しかし、円筒部９の断面の形状は、完全な円ではなく、胴部４と同様に、左右方向に偏平している。例えば、円筒部９は、図６Ａ中、ｘ方向の幅を、例えば、６０ｍｍとすることができ、ｙ方向の幅を、例えば、５０ｍｍとすることができる。また、円筒部９の蓋部１０に対して反対側の開口端部９ａには、胴部４の溝４ｂと嵌合するリブ９ｂが設けられている。これにより、円筒部９が胴部４から外れにくくすることが可能となる。また、開口端部９ａには、胴部４に挿通した時の位置決めをする機能を果たすフランジ部９ｃが設けられている。これにより、円筒部９を胴部４の貫通孔４ａに挿通した時に、押し込みすぎて円筒部９の位置が定まらなくなることを回避すると共に、適切な位置で円筒部９を止めることができる。円筒部９の長手方向の長さは、例えば、１４４ｍｍとすることができる。
【００３６】
図６Ｂは、蓋部の概要を示す図である。蓋部１０は、外周の大きさおよび形状が円筒部９の内周および形状と実質的に等しい嵌入部１０ａが円筒部９の頭側の端部内に嵌入される。また、蓋部１０を嵌入部１０ａが完全に円筒部９に埋没する状態で、最大径が円筒部９の外径よりも大きい蓋体１０ｂと円筒部９とが当接して、蓋体１０ｂが円筒部９を閉塞する。蓋体１０ｂの嵌入部１０ａと反対側の面には、側面が湾曲する円錐台の形状を有する突起１０ｃが設けられており、突起の端部にはマグネット１０ｄが設けられている。この突起１０ｃとマグネット１０ｄが、マグネット関節１０ｅを構成する。そして、このマグネット関節１０ｅが、十字ジョイント部８における胴連結部８ｇと磁力で連結する。
【００３７】
図６Ｃは、円筒部９に蓋部１０を装着した状態を示す図であり、図６Ｄは、胴部４の貫通孔４ａに、蓋部１０を装着した円筒部９を挿通した状態を示す図である。図７は、図６Ｄで示した胴部４を十字ジョイント部８と磁力で連結させた状態を示す図である。このように、円筒部９が胴部４の貫通孔４ａに挿通されるので、人形１の胴部４内に、一端が開口する空間を設けることが可能となる。
【００３８】
図８は、腕部の概要を示す図である。腕部５は、上腕部５ａ、前腕部５ｂ、手部５ｃ、および肩関節部５ｄから構成されている。上腕部５ａと前腕部５ｂ、前腕部５ｂと手部５ｃは、それぞれ、マグネット関節によって磁力で連結されている。肩関節部５ｄは、十字ジョイント部８における腕連結部８ｆと磁力で連結される。上腕部５ａの長さは、例えば、１１８ｍｍとすることができ、前腕部５ｂの長さは、例えば、１０３ｍｍとすることができ、手部５ｃの長さは、例えば、７０ｍｍとすることができる。なお、図８では、人形１の左腕のみを図示して説明したが、右腕も左腕と対称であって、実質的に同様であることから右腕の説明を省略した。
【００３９】
図９は、脚部の概要を示す図である。脚部６は、大腿部６ａ、脛部６ｂ、足部６ｃ、および股関節部６ｄから構成されている。大腿部６ａと脛部６ｂ、脛部６ｂと足部６ｃは、それぞれ、マグネット関節によって磁力で連結されている。股関節部６ｄは、胴部４における鼠蹊部４ｃと磁力で連結される。大腿部６ａの長さは、例えば、１８８ｍｍとすることができ、脚部６全体の長さは、例えば、４１７ｍｍとすることができる。なお、図９では、人形１の左脚のみを図示して説明したが、右脚も左脚と対称であって、実質的に同様であることから右脚の説明を省略した。
【００４０】
［使用例１］
次に、以上のように構成された本実施形態に係る人形の使用例について説明する。図１０Ａは、補助スタンドの概要を示す図である。この補助スタンド１０−１は、三脚式のスタンド本体１０−２と、人形支持部１０−３とから構成されている。人形支持部１０−３は、伸縮させることができ、ダイヤル１０−４を緩めることで人形支持部１０−３を伸縮させることができ、人形支持部１０−３が所望の長さになったところで、ダイヤル１０−４を締めることで固定することができる。
【００４１】
図１０Ｂは、本実施形態に係る人形を、補助スタンドで支持した状態を示す図である。人形支持部１０−３を、人形１の胴部４に挿通されている円筒部９の開口端部から挿入することによって、人形１を二足での起立状態で支持することが可能となる。人形１には、ブラウスやスカート、ウィッグなどを着用させることができるが、特に、スカートや和服を着用させた場合に、補助スタンド１０−１が着衣の内側に隠れるため、補助スタンド１０−１が被服の邪魔をすることはない。これにより、人形１が二足での起立状態を維持することができ、人形１に様々な被服を着せ替えたり、種々のポーズを取らせたりすることが可能となる。これにより、人形１の有用性が高まるので、使用者は、人形１をより活用することが可能となる。
【００４２】
［使用例２］
図１１Ａは、円筒部、蓋部および射精促進器の概要を示す図である。本実施形態に係る人形１は、二足での起立状態を維持させるための補助スタンドを用いない場合、円筒部９の開口端部９ａが開口した状態となる。このように開口した円筒部９内には一定の空間が生じていることとなるが、これを脚側蓋部４ｅで閉塞しても良いし、何か他のものを充填したり、収容したりしても良い。本発明に係る人形は、開口端部９ａから円筒部９内に、射精促進器１１が挿通される。
【００４３】
従来から、医学的な研究、精子バンクでの保存、または病気の治療や検査などを目的として、精液を採取するための射精促進器が提案されている。例えば、特許第５７６１８３６号明細書に開示されている射精促進器は、長手方向の少なくとも一端に開口部を有し、手で握ることが可能な筒状の形状を有する外装ケースと、当該外装ケースの内部に形成された空間に、挿入口を有した端面を外装ケースの開口部に配置した状態で外装ケースに収容される筒状の内装部材と、を備えている。そして、内装部材が、スチレン系熱可塑性エラストマーを主剤として作製されている。使用時には、内装部材の挿入部の内部に形成された突起や襞等の刺激部が、陰茎を刺激することで、射精が促進される。この特許第５７６１８３６号明細書では、射精促進器の使用に際して、陰茎はある程度勃起した状態で挿入することが好ましい旨が記載されている（００４６段落）。
【００４４】
しかしながら、男性の勃起機能は、心理的な影響を受けることが多々ある。例えば、病院や研究所において、精液を採取しなければならなくなったときに、なじみのない非日常的な場所において、心が動揺したり、焦ったり、緊張しすぎてしまうことが原因で、精液を採取するために必要な勃起機能が一時的に失われてしまうことがあり得る。特許第５７６１８３６号明細書に開示されている射精促進器は、陰茎に適度な刺激を与えるための工夫が内部構造になされてはいるものの、その外観は無機質な円筒形であり、視覚的、心理的な観点から男性の勃起機能を支援する提案はなされていない。
【００４５】
本来、男性の勃起機能を支援するためには、男性に適度な性的興奮を引き起こさせる仕組みが必要である。本実施形態では、射精促進器１１を人形１に適用する。これにより、単に陰茎への適度な刺激を与えるだけではなく、人形の外観に基づく視覚的、心理的な側面から男性の勃起機能を支援する。本発明によれば、男性の勃起機能を支援し、射精を促進させることが可能となる。
【００４６】
図１１Ａにおいて、射精促進器１１は、弾性ポリマーで中空の円筒状に形成された陰茎収容部１１ａ、陰茎収容部１１ａの一端に設けられた挿入口１１ｂ、および陰茎収容部１１ａの表面に円周方向に沿って設けられた溝部１１ｃと、を備える。陰茎収容部１１ａは、弾性ポリマーで形成され、例えば、熱可塑性エラストマー、シリコン系樹脂、ポリスチレン系樹脂などを用いることができる。また、これらの弾性ポリマーには、水分を吸収する機能を有する吸水性樹脂を含ませても良い。吸水性樹脂を含んだ弾性ポリマーで陰茎収容部１１ａを形成した場合、使用前に挿入口１１ｂから適量の水分（例えば、ローションや液体の潤滑剤など）を注入することによって、陰茎収容部１１ａの内壁に滑りを発生させることが可能となる。また、陰茎収容部１１ａの内壁には、突起、襞などの刺激部を形成することが望ましい。特に、陰茎収容部１１ａの内壁において、挿入口１１ｂの付近と、中央と、最奥の付近とに異なる形状の刺激部を形成することが望ましい。これにより、陰茎の亀頭、亀頭の下側、陰茎の根元のそれぞれに、異なる刺激を与えることが可能となり、射精を促進させる効果を奏する。
【００４７】
陰茎収容部１１ａは、円筒部９の最大径よりも少し大きく作製される。陰茎収容部１１ａが弾性ポリマーで形成されていることから、円筒部９の内面に密着しながら挿通されることとなるが、密着の度合いが高いと、空気の逃げ場がなくなり、陰茎収容部１１ａを、円筒部９に完全に挿通させることができない場合がある。このため、陰茎収容部１１ａの表面に円周方向に沿って溝部１１ｃを設けた。溝部１１ｃにより、円筒部９内の空気が封印されずに外部に退避できるため、陰茎収容部１１ａを円筒部９にきちんと挿入することが可能となる。なお、図１１Ａでは、溝部１１ｃが５つ設けられた例を示したが、本発明は、これに限定されるわけではない。
【００４８】
図１１Ｂは、射精促進器１１を挿通した円筒部９を、胴部４に挿通した状態を示す図である。本実施形態に係る人形１は、内部骨格を有しないため、一組の脚部６の間に円筒部９を設けることができるようになった。そして、補助スタンド１０−１を用いない場合に、人形１の内部に存在する空間に射精促進器１１を挿通させることで、従来とは異なる用途に利用することができるようになった。男性が、人形１の外形を視覚的、心理的に受け入れることで、適度な性的興奮を引き起こすと、勃起機能が発現し、射精促進器１１の使用が可能となる。男性は勃起した陰茎を挿入口１１ｂに挿入し、陰茎を人形１に対して相対的に陰茎の長手方向に往復させる。この場合、相対的であるため、人形１を往復させても良いし、陰茎を往復させても良い。陰茎収容部１１ａの内壁に刺激部が形成されている場合は、陰茎は、往復の際に適度な刺激を受け、射精が促進される。
【００４９】
射精が終了した後、人形１の頭部２、胸部３、胴部４、一組の腕部５および一組の脚部６の連結を解除し、図１１Ｂに示したように、胴部４のみを残す。本実施形態に係る人形１は、各部位がマグネットの磁力で連結されていることから、各部位の連結を容易に解除することが可能である。図１１Ｂに示すように、胴部４以外の部位を取り外した後、胴部４から、蓋部１０および射精促進器１１と一緒に円筒部９を引き抜く。円筒部９のリブ９ｂと胴部４の溝４ｂは、嵌合しているだけであるので、力を少し入れれば両者を分離することが可能である。その後、円筒部９から射精促進器１１を引き出し、挿入口１１ｂから所望の精液（精子）を採取することが可能となる。次に、円筒部９に嵌め込まれている蓋部１０を取り外すことによって、すべての部品を分解し洗浄することができる。これにより、人形１を常に清潔な状態に保つことが可能となる。
【００５０】
以上説明したように、本実施形態に係る人形１によれば、内部に骨格を有しないため、円筒部９を胴部４内に設けることが可能となる。また、円筒部９の開口端部９ａを挟むように、一組の脚部６が連結する一組の鼠蹊部４ｃが設けられているので、脚と脚の間で円筒部９が開口する。これにより、人形１の重心の位置に補助スタンド１０−１を挿通させることが可能となるので、人形１を、二足による起立状態に維持することが可能となる。また、補助スタンド１０−１を用いない場合は、円筒部９に射精促進器１１を挿入することで、周辺の環境に影響を受けずに男性の射精を促進させることが可能となる。また、各部位が磁力によって連結されているため、分離も容易であり、運搬や手入れなどがし易くなる。
【符号の説明】
【００５１】
１  人形
２  頭部
２ａ  首収容部
２ｂ  マグネット
３  胸部
３ａ  首部
３ｂ  腕部連結口
３ｃ  マグネット
４  胴部
４ａ  貫通孔
４ｂ  溝
４ｃ  鼠蹊部
４ｄ  マグネット
４ｅ  脚側蓋部
５  腕部
５ａ  上腕部
５ｂ  前腕部
５ｃ  手部
５ｄ  肩関節部
６  脚部
６ａ  大腿部
６ｂ  脛部
６ｃ  足部
６ｄ  股関節部
８  十字ジョイント部
８ａ  第１の縦軸
８ｂ   第２の縦軸
８ｃ  横軸
８ｄ  連結部
８ｅ  頭支持部
８ｆ  腕連結部
８ｇ  胴連結部
８ｈ  マグネット
８ｉ  マグネット
９     円筒部
９ａ  開口端部
９ｂ  リブ
９ｃ  フランジ部
１０  蓋部
１０−１  補助スタンド
１０−２  スタンド本体
１０−３  人形支持部
１０−４  ダイヤル
１０ａ  嵌入部
１０ｂ  蓋体
１０ｃ  突起
１０ｄ  マグネット
１０ｅ  マグネット関節
１１  射精促進器
１１ａ  陰茎収容部
１１ｂ  挿入口
１１ｃ  溝部
【図１Ａ】
2018103024.tif 000003
【図１Ｂ】
2018103024.tif 000004
【図２Ａ】
2018103024.tif 000005
【図２Ｂ】
2018103024.tif 000006
【図３Ａ】
2018103024.tif 000007
【図３Ｂ】
2018103024.tif 000008
【図３Ｃ】
2018103024.tif 000009
【図４Ａ】
2018103024.tif 000010
【図４Ｂ】
2018103024.tif 000011
【図４Ｃ】
2018103024.tif 000012
【図４Ｄ】
2018103024.tif 000013
【図５Ａ】
2018103024.tif 000014
【図５Ｂ】
2018103024.tif 000015
【図６Ａ】
2018103024.tif 000016
【図６Ｂ】
2018103024.tif 000017
【図６Ｃ】
2018103024.tif 000018
【図６Ｄ】
2018103024.tif 000019
【図７】
2018103024.tif 000020
【図８】
2018103024.tif 000021
【図９】
2018103024.tif 000022
【図１０Ａ】
2018103024.tif 000023
【図１０Ｂ】
2018103024.tif 000024
【図１１Ａ】
2018103024.tif 000025
【図１１Ｂ】
2018103024.tif 000026
【図１２】
2018103024.tif 000027
【図１３】
2018103024.tif 000028